(57)【要約】【課題】建物内光伝送路１０において、建物８の居住者に光ケーブルを短期間にかつ低コストで提供することを可能とすることである。【解決手段】建物内光伝送路１０は、幹線光ケーブルから建物８内に引き込まれる支線光ケーブル１２と、建物８内に配置され、支線光ケーブル１２を建物８の各階へ分岐する階別分配器１４と、階別分配器１４に接続され、建物８の各階へ敷設される階別光ケーブル１６と、建物８の各階に配置され、階別光ケーブル１６を建物８の各対象戸２２へ分岐する戸別分配器１８と、戸別分配器１８に接続され、建物８の各対象戸２２へ敷設される戸別光ケーブル２０と、を備え、階別光ケーブル１６は、建物８のエレベーター昇降路２４内に配置される。【選択図】図１
2006173669.tif 000002
【特許請求の範囲】
【請求項１】
幹線光ケーブルから建物内に引き込まれる支線光ケーブルと、
建物内に配置され、支線光ケーブルを建物の各階へ分岐する階別分配器と、
階別分配器に接続され、建物の各階へ敷設される階別光ケーブルと、
建物の各階に配置され、階別光ケーブルを建物の各対象戸へ分岐する戸別分配器と、
戸別分配器に接続され、建物の各対象戸へ敷設される戸別光ケーブルと、
を備える建物内光伝送路において、
階別光ケーブルは、建物のエレベーター昇降路内に配置されることを特徴とする建物内光伝送路。
【請求項２】
請求項１に記載の建物内光伝送路において、
階別光ケーブルは、建物のエレベーター昇降路に設けられた防火用穴を通して、戸別分配器に接続されることを特徴とする建物内光伝送路。
【発明の詳細な説明】
【技術分野】
【０００１】
本発明は、建物内光伝送路に係り、特に光ケーブルと分配器とから構成される建物内光伝送路に関する。
【背景技術】
【０００２】
ＬＡＮ（Ｌｏｃａｌ  Ａｒｅａ  Ｎｅｔｗｏｒｋ）の利用等を目的として、建物、特にマンション又はオフィスビル等への光ケーブルの敷設が多くなされている。光ケーブルの敷設方式は、幹線光ケーブルから分岐した支線光ケーブルを建物内に引き込んで、支線光ケーブルを分配器等で分岐して、建物の居住者・テナント等に提供されている。
【０００３】
従来、建物内へ光ケーブルを敷設する場合は、建物の各階の床壁に穴開けし、建物の高さ方向に光ケーブルを敷設する必要がある。そのために、まず各階の床壁をＸ線による非破壊検査等で検査して、床壁の中に埋め込まれている電気ケーブルや配管の位置を事前調査する。そして、それらの場所を避けて床壁に穴開け施工して、その穴に配管を設置して、配管中に光ケーブルを敷設する方法が行われている。
【発明の開示】
【発明が解決しようとする課題】
【０００４】
建物の各階の床壁に穴開け施工を行うことは、非破壊検査等による事前調査と床壁が厚いことによる大規模工事が必要になることから、工期とコストが増大するという問題がある。本発明の目的は、建物の居住者に光ケーブルを短期間にかつ低コストの工事で、敷設することが可能な建物内光伝送路を提供することである。
【課題を解決するための手段】
【０００５】
本発明に係る建物内光伝送路は、幹線光ケーブルから建物内に引き込まれる支線光ケーブルと、建物内に配置され、支線光ケーブルを建物の各階へ分岐する階別分配器と、階別分配器に接続され、建物の各階へ敷設される階別光ケーブルと、建物の各階に配置され、階別光ケーブルを建物の各対象戸へ分岐する戸別分配器と、戸別分配器に接続され、建物の各対象戸へ敷設される戸別光ケーブルと、を備え、階別光ケーブルは、建物のエレベータ昇降路内に配置されることを特徴とする。
【０００６】
また、本発明に係る建物内光伝送路の階別光ケーブルは、建物のエレベーター昇降路に設けられた防火用穴を通して、戸別分配器に接続されることが好ましい。
【発明の効果】
【０００７】
本発明に係る建物内光伝送路によれば、建物のエレベータ昇降路内に階別光ケーブルを配置するため、床壁の非破壊検査等による事前調査や穴開け施工が不要となり、光ケーブルの敷設が容易になる。したがって、建物内の居住者に光ケーブルを短期間にかつ低コストの工事で、敷設することが可能な建物内光伝送路を提供できる。
【発明を実施するための最良の形態】
【０００８】
以下に図面を用いて本発明に係る実施の形態につき、詳細に説明する。図１は、建物８、特にマンション又はオフィスビル等の複数階を有する建物８に配置される建物内光伝送路１０の構成を示す図である。以下では建物８は、４階建てであるが、それ以外の階数でもよい。また、建物内光伝送路１０は建物８の地下から導入されるようにしているが、地上又は高層からでもよい。
【０００９】
建物内光伝送路１０は、図示されていない幹線光ケーブルから建物８内に引き込まれる支線光ケーブル１２と、建物８に配置され、支線光ケーブル１２を建物８の各階へ分岐する階別分配器１４と、階別分配器１４に接続され、建物８の各階へ敷設される階別光ケーブル１６と、建物８の各階に配置され、階別光ケーブル１６を建物８の各対象戸２２へ分岐する戸別分配器１８と、戸別分配器１８に接続され、建物８の各対象戸２２へ敷設される戸別光ケーブル２０と、を備えている。
【００１０】
支線光ケーブル１２は、図示されていない幹線光ケーブルのデータ通信容量のデータを、建物８内に伝送する機能を有する光ケーブルである。支線光ケーブル１２に使用される光ケーブルは、心線がプラスチック又は高純度のガラスでできており、その周りは合成樹脂等で被覆されているものが一般的に使用される。図１に示す支線光ケーブル１２は１本であるが、もちろん複数本であってもよい。
【００１１】
階別分配器１４は、支線光ケーブル１２を複数の階別光ケーブル１６に分岐する機能を有する光分配器である。階別分配器１４は、支線光ケーブル１２を接続する入力側接続端子と、階別光ケーブル１６を接続する出力側接続端子を有し、入力側接続端子と出力側接続端子は光配線回路で接続されている。図１では階別分配器１４はエレベーター昇降路２４の外側に配置されているが、エレベーター昇降路２４内に配置されていてもよいし、建物８内又は屋外でもよい。階別分配器１４は、ＭＤＦ（Ｍａｉｎ  Ｄｉｓｔｒｉｂｕｔｉｏｎ  Ｆｒａｍｅ）装置やＰＯＮ（Ｐａｓｓｉｖｅ  Ｏｐｔｉｃａｌ  Ｎｅｔｗｏｒｋ）装置等で一般的に構成される。
【００１２】
階別分配器１４は、支線光ケーブル１２が１本引き込まれる場合と複数本引き込まれる場合とを切り替える切替回路を有している。ここで、複数の支線光ケーブル１２を接続する場合には、階別分配器１４は、光交換回路を有している。この交換回路は、特定の支線光ケーブル１２で伝送されるデータを、指定された居住者のパソコン等の端末へ伝送するための回路である。また、ある居住者が専用に光ケーブルを引き込みたい場合には、階別分配器１４に特設することも可能である。さらに、階別分配器１４は、光帯域制御回路も有している。この制御回路は、支線光ケーブル１２で伝送されるデータ通信容量のデータを、各階別光ケーブル１６に均等に分配することもできるし、各階別光ケーブル１６ごとに異なるデータ通信容量を設定することもできる回路である。
【００１３】
階別光ケーブル１６は、支線光ケーブル１２のデータ通信容量のデータを、建物８の各階へ伝送する機能を有する光ケーブルである。階別光ケーブル１６に使用される光ケーブルは、上述した支線光ケーブル１２と同様な構成のものが一般的に使用される。階別光ケーブル１６は、エレベーター昇降路２４内に、エレベーター２８の運行の障害にならないように配置される。例えば、昇降路内に設置されているガイドワイヤー等に巻きつけて配置してもよい。
【００１４】
階別光ケーブル１６をエレベーター昇降路２４内へ引き込むためには、エレベーター昇降路２４の壁を通す必要がある。エレベーター昇降路２４の壁は、床壁と比較すると薄いため、容易に貫通加工できる。別の方法として、エレベーター昇降路２４に防火用として設けられている穴２６を利用することができる。防火用穴２６に配管を通し、配管中に階別光ケーブル１６を通す方法が用いられる。また、階別光ケーブル１６を通すために、エレベーター２８の操作盤を利用することもできる。防火用穴２６に配管を設置しないで直接通す場合には、階別光ケーブル１６を通した管状アダプタを防火用穴２６の中にはめ込んで、パテ等で充填し、固定してもよい。このアダプタの材質は、合成樹脂、セラミックス又は金属等からなる。
【００１５】
階別光ケーブル１６は各階１本配置することが好ましい。これは、配置が容易であることや配置するスペースが狭くて済むからである。また、対象戸２２の数にかかわらず設置できるため、対象戸２２の事前調査が不要であり、工事の標準化が行いやすい。もちろん、階別光ケーブル１６は各階１本に限られず、各階に複数本配置することも可能である。
【００１６】
戸別分配器１８は、階別光ケーブル１６を複数の戸別光ケーブル２０に分岐する機能を有する光分配器である。戸別分配器１８は階別光ケーブル１６を接続する入力側接続端子と、戸別光ケーブル２０を接続する出力側接続端子を有し、入力側接続端子と出力側接続端子は光配線回路で接続されている。戸別分配器１８は、光帯域制御回路を有している。この制御回路は、階別光ケーブル１６で伝送されるデータ通信容量のデータを、各戸別光ケーブル２０に均等に分配することもできるし、各戸別光ケーブル２０ごとに異なるデータ通信容量を設定することもできる。図１に示す戸別分配器１８はエレベーター昇降路２４の外側で天井に配置されているが、エレベーター昇降路２４内に配置してもよいし、床でもよい。
【００１７】
戸別光ケーブル２０は、戸別分配器１８に接続され、建物８内の各対象戸２２へ敷設される。戸別光ケーブル２０に使用される光ケーブルは、上述した支線光ケーブル１２と同様な構成のものが一般的に使用される。戸別光ケーブル２０は、メディアコンバーター等の変換器に接続され、戸別光ケーブル２０の光信号を電気信号に変換して各対象戸２２である居住者のパソコン等の端末へ伝送する。また。図１では戸別光ケーブル２０を各対象戸２２に１本配置しているが、複数本配置することも可能である。さらに、非対象戸が将来的に対象戸２２となる場合には、戸別分配器１８から戸別光ケーブル２０を引き込めばよい。
【００１８】
次に本発明に係る実施形態の作用について説明する。４階建ての建物８に支線光ケーブル１２により例えば１Ｇｂｐｓのデータ通信容量が伝送されると、例えば建物８内の居住者が同一のデータ通信容量を必要とする場合には、階別分配器１４で各階２５０Ｍｂｐｓずつ均等に分配される。また、各階にテナント等が入居して異なるデータ通信容量が必要な場合には、例えば１階１００Ｍｂｐｓ，２階２００Ｍｂｐｓ、３階３００Ｍｂｐｓ、４階４００Ｍｂｐｓと、各階で異なるデータ通信容量に分配することもできる。
【００１９】
各階に分配されたデータ通信容量は、階別光ケーブル１６により各階に伝送される。戸別分配器１８は階別光ケーブル１６により伝送されたデータ通信容量を各対象戸２２に分配する。例えば建物８の４階用に階別光ケーブル１６で４００Ｍｂｐｓ伝送される場合に、４階にデータ通信の対象となる対象戸２２が４戸あり、各対象戸２２の居住者が同一のデータ通信容量を必要とする場合には、各対象戸２２に１００Ｍｂｐｓずつ均等に分配できる。また、各対象戸２２の居住者の必要としているデータ通信容量が異なる場合には、２００Ｍｂｐｓ，１００Ｍｂｐｓ、７５Ｍｂｐｓ，２５Ｍｂｐｓのように異なるデータ通信容量を分配することもできる。
【００２０】
また、本発明に係る建物内光伝送路１０によれば、階別光ケーブル１６は防火区画であるエレベーター昇降路２４内に配置されるため、耐火効果も有する。
【図面の簡単な説明】
【００２１】
【図１】本発明に係る実施形態である建物内光伝送路を示す図である。
【符号の説明】
【００２２】
８  建物、１０  建物内光伝送路、１２  支線光ケーブル、１４  階別分配器、１６  階別光ケーブル、１８  戸別分配器、２０  戸別光ケーブル、２２  対象戸、２４  エレベーター昇降路、２６  防火用穴、２８  エレベーター。
【図１】
2006173669.tif 000003